【手続補正書】
【提出日】平成17年10月18日(2005.10.18)
【手続補正１】
【補正対象書類名】明細書
【補正対象項目名】発明の名称
【補正方法】変更
【補正の内容】
【発明の名称】画像処理装置、画像処理方法及びプログラム
【手続補正２】
【補正対象書類名】明細書
【補正対象項目名】特許請求の範囲
【補正方法】変更
【補正の内容】
【特許請求の範囲】
【請求項１】  対象画像の階調変換処理を行う画像処理装置であって、
変数で特定された階調変換関数で対象画像の階調変換処理を行う第一の階調変換手段と、
前記第一の階調変換手段で対象画像を階調変換処理することにより得られた処理画像から、前記変数を再度決定する決定手段と、
前記決定手段で決定された変数で特定された前記階調変換関数で対象画像の階調変換処理を行う第二の階調変換手段とを有することを特徴とする画像処理装置。
【請求項２】  前記決定手段では前記処理画像のヒストグラムの平坦度が最大となるように前記変数が決定されることを特徴とする請求項１に記載の画像処理装置。
【請求項３】  前記決定手段では、前記処理画像の画素値ヒストグラムと前記処理画像の平坦な画素値ヒストグラムとの平均二乗誤差が最小となるように前記変数が決定されることを特徴とする請求項１に記載の画像処理装置。
【請求項４】  前記決定手段は、階調変換関数を特定する変数と、この階調変換関数で対象画像を階調変換処理することにより得られた処理画像のヒストグラムを作成するヒストグラム作成手段と、
該ヒストグラム作成手段で得られたヒストグラムと対象画像の平均画素数とから前記ヒストグラムの平坦度を指標として計算する指標計算手段と、
該指標計算手段で得られた指標と前記変数との関係から前記対象画像を階調変換するための前記階調変換関数を特定する変数を決定する解析手段とを有することを特徴とする請求項１に記載の画像処理装置。
【請求項５】  前記諧調変換関数を特定する変数は、フィルムの特性曲線と同等な範囲でしか変動しないように制約をかけられていることを特徴とする請求項１に記載の画像処理装置。
【請求項６】  対象画像の階調変換処理を行う画像処理方法であって、
階調変換関数を特定する変数と、この階調変換関数で対象画像を階調変換処理することにより得られた処理画像との関係から前記変数を決定する決定工程と、
前記決定工程で決定された変数で特定された前記諧調変換関数で対象画像の階調変換処理を行う階調変換工程とを有することを特徴とする画像処理方法。
【請求項７】  対象画像の階調変換処理を行う画像処理方法であって、
変数で特定された諧調変換関数で対象画像の階調変換処理を行う第一の階調変換工程と、
前記第一の階調変換工程で対象画像を階調変換処理することにより得られた処理画像から、前記変数を再度決定する決定工程と、
前記決定工程で決定された変数で特定された前記諧調変換関数で対象画像の階調変換処理を行う第二の階調変換工程とを有することを特徴とする画像処理方法。
【請求項８】  請求項１乃至５の何れか１項に記載の画像処理装置の機能をコンピュータに実現させるためのプログラム。
【請求項９】  請求項６又は７に記載の画像処理方法の処理ステップをコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、画像の階調変換処理を行うための画像処理装置、画像処理方法及びプログラムに関するものである。
【手続補正４】
【補正対象書類名】明細書
【補正対象項目名】０００５
【補正方法】変更
【補正の内容】
【０００５】
本発明は、上記問題点に鑑みてなされたものであり、特定の階調変換関数を用いつつ、変換後画像の画素値ヒストグラムの平坦度が良好な階調変換を行うことのできる画像処理装置、画像処理方法及びプログラムを提供することを目的とする。
【手続補正５】
【補正対象書類名】明細書
【補正対象項目名】０００６
【補正方法】変更
【補正の内容】
【０００６】
【課題を解決するための手段】
本発明の画像処理装置は、対象画像の階調変換処理を行う画像処理装置であって、変数で特定された階調変換関数で対象画像の階調変換処理を行う第一の階調変換手段と、前記第一の階調変換手段で対象画像を階調変換処理することにより得られた処理画像から、前記変数を再度決定する決定手段と、前記決定手段で決定された変数で特定された前記階調変換関数で対象画像の階調変換処理を行う第二の階調変換手段とを有することを特徴とする。
本発明の画像処理方法の第１の態様は、対象画像の階調変換処理を行う画像処理方法であって、階調変換関数を特定する変数と、この階調変換関数で対象画像を階調変換処理することにより得られた処理画像との関係から前記変数を決定する決定工程と、前記決定工程で決定された変数で特定された前記諧調変換関数で対象画像の階調変換処理を行う階調変換工程とを有することを特徴とする。
本発明の画像処理方法の第２の態様は、対象画像の階調変換処理を行う画像処理方法であって、変数で特定された諧調変換関数で対象画像の階調変換処理を行う第一の階調変換工程と、前記第一の階調変換工程で対象画像を階調変換処理することにより得られた処理画像から、前記変数を再度決定する決定工程と、前記決定工程で決定された変数で特定された前記諧調変換関数で対象画像の階調変換処理を行う第二の階調変換工程とを有することを特徴とする。
本発明のプログラムの第１の態様は、前記画像処理装置の機能をコンピュータに実現させることを特徴とする。
本発明のプログラムの第２の態様は、前記画像処理方法の処理ステップをコンピュータに実行させることを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】